(57)【要約】【課題】  来訪者が訪問した時に、来訪者の画像を見て対応できるテレビインタホン装置を提案する。【解決手段】  テレビインタホン装置では、室外に設置された子機１のカメラ部１６が常に駆動して、映像がインタホン線４を介して子機１から室内の親機２に送られる。来訪者が子機１の呼出ボタン１３を押すと、親機２の液晶表示部２１にはそのときのカメラ部１６からの映像が表示されると共に呼出音が出力される。また、呼出ボタン１３が押された前後数秒の画像が記憶される。また、そのときのカメラ部１６からの映像は、親機２から副親機３にも無線通信で送られて、液晶表示部３１に表示されると共に、副親機３では呼出音が出力される。親機２の通話ボタン２２または副親機３の通話ボタン３２が押されることで、室内のユーザと来訪者との通話が実現する。【選択図】        図１
2005348056.tif 000002
【特許請求の範囲】
【請求項１】
住宅の玄関に設置される少なくとも１台以上のカメラ付インタホン玄関子機と、相互に通信を行なう第１のモニタ付インタホン居室親機および第２のモニタ付インタホン居室親機とを含み、
前記カメラ付インタホン玄関子機は、
映像を撮影する撮像手段と、
前記撮像手段で撮影された映像を前記第１のモニタ付インタホン居室親機に送信する第１の送信手段とを備え、
前記第１のモニタ付インタホン居室親機は、
前記カメラ付インタホン玄関子機から送信された前記映像を表示する第１の表示手段と、
前記カメラ付インタホン玄関子機から送信された前記映像を前記第２のモニタ付インタホン居室親機に送信する第２の送信手段と、
前記カメラ付インタホン玄関子機から送信された映像に対して圧縮処理を行なう映像圧縮手段と、
前記圧縮された映像を少なくとも１画面分蓄積する映像蓄積手段とを備え、
前記第２のモニタ付インタホン居室親機は、
前記第１のモニタ付インタホン居室親機から送信された前記映像を表示する第２の表示手段を備える、テレビインタホン装置。
【請求項２】
前記第１のモニタ付インタホン居室親機の前記映像蓄積手段は、前記カメラ付インタホン玄関子機から送信された前記映像より所定期間分以前の前記カメラ付インタホン玄関子機から送信された映像を蓄積する、請求項１に記載のテレビインタホン装置。
【請求項３】
住宅の玄関に設置される少なくとも１台以上のカメラ付インタホン玄関子機と、相互に通信を行なう第１のモニタ付インタホン居室親機および第２のモニタ付インタホン居室親機とを含み、
前記カメラ付インタホン玄関子機は、
映像を撮影する撮像手段と、
前記撮像手段で撮影された映像を前記第１のモニタ付インタホン居室親機に送信する第１の送信手段とを備え、
前記第１のモニタ付インタホン居室親機は、
前記カメラ付インタホン玄関子機から送信された前記映像を表示する第１の表示手段と、
前記カメラ付インタホン玄関子機から送信された前記映像を第１の周期でデジタル方式で記録媒体に書込む記録媒体書込手段と、
前記カメラ付インタホン玄関子機から送信された前記映像を第２の周期で蓄積する映像蓄積手段と、
前記映像蓄積手段に蓄積された、前記カメラ付インタホン玄関子機から送信された前記映像を、前記第２の周期に応じた周期で前記第２のモニタ付インタホン居室親機に送信する第２の送信手段とを備え、
前記第２のモニタ付インタホン居室親機は、
前記第１のモニタ付インタホン居室親機から送信された前記映像を表示する第２の表示手段を備える、テレビインタホン装置。
【請求項４】
前記第１の周期と前記第２の周期とは異なる周期である、請求項３に記載のテレビインタホン装置。
【請求項５】
住宅の玄関に設置される少なくとも１台以上のカメラ付インタホン玄関子機と、相互に通信を行なう第１のモニタ付インタホン居室親機および第２のモニタ付インタホン居室親機とを含み、
前記カメラ付インタホン玄関子機は、
映像を撮影する撮像手段と、
前記撮像手段で撮影された映像を前記第１のモニタ付インタホン居室親機に送信する第１の送信手段とを備え、
前記第１のモニタ付インタホン居室親機は、
前記カメラ付インタホン玄関子機から送信された前記映像を表示する第１の表示手段と、
前記カメラ付インタホン玄関子機から送信された前記映像をデジタル方式で記録媒体に書込む記録媒体書込手段と、
前記カメラ付インタホン玄関子機から送信された前記映像と、前記記録媒体に書込まれた画像とのいずれかの画像を前記第２のモニタ付インタホン居室親機に送信する第２の送信手段とを備え、
前記第２のモニタ付インタホン居室親機は、
前記第１のモニタ付インタホン居室親機から送信された前記映像を表示する第２の表示手段を備える、テレビインタホン装置。
【請求項６】
前記第１のモニタ付インタホン居室親機と第２のモニタ付インタホン居室親機とが相互に行なう前記通信は、無線通信方式としてＢｌｕｅｔｏｏｔｈ（登録商標）規格を使用した通信である、請求項１〜５のいずれかに記載のテレビインタホン装置。
【請求項７】
前記記録媒体は、ＳＤメモリカード（登録商標）である、請求項３〜６のいずれかに記載のテレビインタホン装置。
【発明の詳細な説明】
【技術分野】
【０００１】
この発明はテレビインタホン装置に関し、特に、来訪者が訪問した時に、来訪者の画像を見て対応できるテレビインタホン装置に関する。
【背景技術】
【０００２】
たとえば特許文献１にも開示されているように、従来から、テレビインタホン装置として、カメラ付インタホン玄関子機と、当該カメラ付インタホン玄関子機に有線で接続されるモニタ付インタホン居室親機と、カメラ付インタホン玄関子機およびモニタ付インタホン居室親機と無線で通話することができるモニタ付インタホン居室副親機とを備えて成るものが知られている。
【０００３】
ここで、モニタ付インタホン居室親機は、カメラ付インタホン玄関子機から伝送された音声信号と映像信号とを無線信号で送信し、モニタ付インタホン居室副親機から無線送信される無線音声信号を受信する無線送受信部を有し、モニタ付インタホン居室副親機は、モニタ付インタホン居室親機から無線信号により送信される無線音声信号と無線映像信号を受信し、音声信号を無線信号で送信する無線送受信部を有し、モニタ付インタホン居室親機とモニタ付インタホン居室副親機との通話の際に、モニタ付インタホン居室親機は、音声信号を無線信号により送信し、モニタ付インタホン居室副親機から送信される無線音声信号を受信すると共に、モニタ付インタホン居室副親機は、モニタ付インタホン居室親機から送信される無線音声信号を受信し、音声信号を無線送信するように構成されている。
【０００４】
このような構成のテレビインタホン装置によれば、モニタ付インタホン居室副親機の設置および増設時における配線工事の省施工化を図ることができ、また、モニタ付インタホン居室副親機の設置場所を自由に設定することが可能となり、さらに、システムの買替え時に、カメラ付インタホン玄関子機とモニタ付インタホン居室親機との間の伝送路を利用することができ、モニタ付インタホン居室副親機を加えた構成を容易に実現することができる。
【特許文献１】特開２０００−２２４３１６号公報
【発明の開示】
【発明が解決しようとする課題】
【０００５】
しかしながら、このような構成のテレビインタホン装置においては、カメラ付インタホン玄関子機から伝送された映像信号を、複数台のモニタ付インタホン居室副親機へ無線伝送する場合に、有線伝送の場合と異なり、無線伝送の場合は１対１の通信であり、モニタ付インタホン居室親機からモニタ付インタホン居室副親機各モニタ付インタホン居室副親機への無線伝送に要する時間分遅延が生じ、結果、モニタ付インタホン居室副親機ごとに異なった映像信号が伝送されるという問題があった。
【０００６】
また、カメラ付インタホン玄関子機から伝送された子機映像信号をデジタル方式で記録するための記録媒体を有する場合においても、記録媒体への映像信号の記録とモニタ付インタホン居室親機からモニタ付インタホン居室副親機への無線映像伝送とを順次交互に行なうために、電波状態により常に変化するモニタ付インタホン居室親機からモニタ付インタホン居室副親機への無線伝送時間周期での記録媒体への映像信号の記録しか行なうことができないという問題があった。
【０００７】
また、来訪者がカメラ付インタホン玄関子機の呼出しボタンを押した以降に来訪者映像の取得動作を行なうために、来訪者映像の確実な記録ができない場合があるという、防犯上好ましくない問題があった。したがって、従来のテレビインタホン装置においては、モニタ付インタホン居室親機およびモニタ付インタホン居室副親機を防犯設備として利用することは万全でない場合があるという問題があった。
【０００８】
本発明は、これらの問題を解消するためになされたもので、確実に来訪者が映ったカメラ付インタホン玄関子機から伝送された子機映像信号を、モニタ付インタホン居室副親機へ無線伝送することができ、また、モニタ付インタホン居室親機からモニタ付インタホン居室副親機への無線伝送状況に依存せずに、カメラ付インタホン玄関子機から伝送された子機映像信号のモニタ付インタホン居室親機の記録媒体へ録画でき、ひいてはモニタ付インタホン居室親機およびモニタ付インタホン居室副親機を確実な防犯設備として利用することができるテレビインタホン装置を提供することを目的としている。
【課題を解決するための手段】
【０００９】
上記目的を達成するために、本発明のある局面に従うと、テレビインタホン装置は、住宅の玄関に設置される少なくとも１台以上のカメラ付インタホン玄関子機と、相互に通信を行なう第１のモニタ付インタホン居室親機および第２のモニタ付インタホン居室親機とを含み、カメラ付インタホン玄関子機は、映像を撮影する撮像手段と、撮像手段で撮影された映像を第１のモニタ付インタホン居室親機に送信する第１の送信手段とを備え、第１のモニタ付インタホン居室親機は、カメラ付インタホン玄関子機から送信された映像を表示する第１の表示手段と、カメラ付インタホン玄関子機から送信された映像を第２のモニタ付インタホン居室親機に送信する第２の送信手段と、カメラ付インタホン玄関子機から送信された映像に対して圧縮処理を行なう映像圧縮手段と、圧縮された映像を少なくとも１画面分蓄積する映像蓄積手段とを備え、第２のモニタ付インタホン居室親機は、第１のモニタ付インタホン居室親機から送信された映像を表示する第２の表示手段を備える。
【００１０】
さらに、第１のモニタ付インタホン居室親機の映像蓄積手段は、カメラ付インタホン玄関子機から送信された映像より所定期間分以前のカメラ付インタホン玄関子機から送信された映像を蓄積することが好ましい。
【００１１】
本発明の他の局面に従うと、テレビインタホン装置は、住宅の玄関に設置される少なくとも１台以上のカメラ付インタホン玄関子機と、相互に通信を行なう第１のモニタ付インタホン居室親機および第２のモニタ付インタホン居室親機とを含み、カメラ付インタホン玄関子機は、映像を撮影する撮像手段と、撮像手段で撮影された映像を第１のモニタ付インタホン居室親機に送信する第１の送信手段とを備え、第１のモニタ付インタホン居室親機は、カメラ付インタホン玄関子機から送信された前記映像を表示する第１の表示手段と、カメラ付インタホン玄関子機から送信された映像を第１の周期でデジタル方式で記録媒体に書込む記録媒体書込手段と、カメラ付インタホン玄関子機から送信された映像を第２の周期で蓄積する映像蓄積手段と、映像蓄積手段に蓄積された、カメラ付インタホン玄関子機から送信された映像を、第２の周期に応じた周期で第２のモニタ付インタホン居室親機に送信する第２の送信手段とを備え、第２のモニタ付インタホン居室親機は、第１のモニタ付インタホン居室親機から送信された映像を表示する第２の表示手段を備える。
【００１２】
さらに、上記第１の周期と第２の周期とは異なる周期であることが好ましい。
【００１３】
本発明のさらに他の局面に従うと、テレビインタホン装置は、住宅の玄関に設置される少なくとも１台以上のカメラ付インタホン玄関子機と、相互に通信を行なう第１のモニタ付インタホン居室親機および第２のモニタ付インタホン居室親機とを含み、カメラ付インタホン玄関子機は、映像を撮影する撮像手段と、撮像手段で撮影された映像を第１のモニタ付インタホン居室親機に送信する第１の送信手段とを備え、第１のモニタ付インタホン居室親機は、カメラ付インタホン玄関子機から送信された映像を表示する第１の表示手段と、カメラ付インタホン玄関子機から送信された映像をデジタル方式で記録媒体に書込む記録媒体書込手段と、カメラ付インタホン玄関子機から送信された映像と、記録媒体に書込まれた画像とのいずれかの画像を第２のモニタ付インタホン居室親機に送信する第２の送信手段とを備え、第２のモニタ付インタホン居室親機は、第１のモニタ付インタホン居室親機から送信された映像を表示する第２の表示手段を備える。
【００１４】
なお、第１のモニタ付インタホン居室親機と第２のモニタ付インタホン居室親機とが相互に行なう通信は、無線通信方式としてＢｌｕｅｔｏｏｔｈ（登録商標）規格を使用した通信であることが好ましい。
【００１５】
また、上記記録媒体は、ＳＤメモリカード（登録商標）であることが好ましい。
【発明を実施するための最良の形態】
【００１６】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１７】
図１に、本実施の形態にかかるテレビインタホン装置の構成の具体例を示す。
【００１８】
図１を参照して、本実施の形態にかかるテレビインタホン装置は、通常、屋外に設置されて、呼出ボタン１３およびカメラ部１６などを含むカメラ付インタホン玄関子機１Ａ，１Ｂと、通常、屋内に設置されて、液晶表示部２１、通話ボタン２２、内線ボタン２３、およびＳＤ（Secure Digital）メモリカード（登録商標）などの記録媒体であるＳＤカードメモリ２５などを含むモニタ付インタホン居室親機２と、持運び可能に構成されて、液晶表示部３１、通話ボタン３２、内線ボタン３３、およびカメラ部３６などを含むモニタ付インタホン居室副親機３Ａ，３Ｂとを含んで構成される。
【００１９】
カメラ付インタホン玄関子機１Ａ，１Ｂとモニタ付インタホン居室親機２とは、専用の通信回線であるインタホン線４を介して通信を行なう。なお、カメラ付インタホン玄関子機１Ａ，１Ｂとモニタ付インタホン居室親機２との通信は、本実施の形態においては有線による通信であるものとするが、以下に説明するような無線通信を行なってもよい。
【００２０】
モニタ付インタホン居室親機２、モニタ付インタホン居室副親機３Ａ、およびモニタ付インタホン居室副親機３Ｂは相互に無線通信を行ない、より具体的には、本実施の形態においては、モニタ付インタホン居室親機２での、複数のモニタ付インタホン居室副親機３Ａ，３Ｂの制御を可能とするため、Ｂｌｕｅｔｏｏｔｈ（登録商標）無線信号が送信される経路であるＢｌｕｅｔｏｏｔｈ（登録商標）無線伝送路５を介して、２．４ＧＨｚ帯の特定小電力無線局での映像伝送可能な方式の１つであるＢｌｕｅｔｏｏｔｈ（登録商標）無線方式を採用した通信を行なうものとする。
【００２１】
ここで、まず、Ｂｌｕｅｔｏｏｔｈ（登録商標）無線方式について、一般的な説明を行なう。
【００２２】
Ｂｌｕｅｔｏｏｔｈ（登録商標）無線方式は、２．４ＧＨｚ帯で１Ｍｂｐｓの速度で通信を行なうことのできる携帯情報機器向けの無線通信技術で、単に１対１のケーブル代替えのネットワーク技術ではなく、１対多の接続が可能なワイヤレスネットワークのシステムを構築できる無線方式である。
【００２３】
Ｂｌｕｅｔｏｏｔｈ（登録商標）無線方式では、複数の端末の秩序立てた通信が可能であるため、通信に関わる端末グループの中から、１つの端末に制御機能が与えられることで、端末同士を簡単にワイヤレスネットワーク化させることができる。なお、Ｂｌｕｅｔｏｏｔｈ（登録商標）無線方式において、制御機能を担う端末は、マスタ（Ｍａｓｔｅｒ）と呼ばれ、その他は、スレーブ（Ｓｌａｖｅ）と呼ばれる。また、マスタとスレーブとが通信状態にあるネットワークは、ピコネット（Ｐｉｃｏｎｅｔ）と呼ばれる。
【００２４】
Ｂｌｕｅｔｏｏｔｈ（登録商標）無線方式は、音声とデータとの両方を偏りなく扱うことができるように配慮されている。音声に関しては、１つのピコネットあたり最大で同時に３通話までの通信が可能とされ、回線交換型のＳＣＯ（Synchronous Connection Oriented）リンクが用いられることにより実現される。データに関しては、ピコネット内に存在するスレーブ同士で通信回線を共有しながら、パケットが各スレーブとマスタとの間で送受信される。データの送受信は、パケット交換型のＡＣＬ（Asynchronous Connection Less）リンクが用いられることにより実現される。
【００２５】
Ｂｌｕｅｔｏｏｔｈ（登録商標）無線方式では、電池駆動のポータブル機器への無線設備の搭載が前提とされているため、ＡＣＬリンクにおいて消費電力を抑えるために、Ｂｌｕｅｔｏｏｔｈ（登録商標）デバイスは、パークモード（Park Mode）とホールドモード（Hold Mode）とスニフモード（Sniff Mode）との３つの低消費電力モードに遷移することが可能である。
【００２６】
パークモードは、スレーブ特有のモードであって、パークモードにあるパーク中のスレーブはピコネットヘの同期、つまりホッピングパターンとマスタクロックとヘの同期を保持している。ただし、パークモードでは、スレーブは、マスタとの間でパケットを交換することはできない。パーク中のスレーブは、一定時間間隔（ビーコン周期）でマスタから送信される情報を受信し、必要があればすぐにピコネットヘ参加できる。パークモードでは、スレーブは、マスタから割振られたスレーブ識別子（接続中のスレーブに与えられる３ビットのアドレス（１〜７））をいったんマスタに返却する。したがって、パーク中のスレーブが、ピコネットヘの再参加を希望しても、スレーブ識別子に空きがなければすぐに加わることができない。逆に、マスタは、パークモードに入るスレーブに、８ビットのパークスレーブ識別子を与える。マスタは、最大２５５台のパーク中のスレーブを管理し、必要なスレーブだけを随時ピコネットに参加させることできる。
【００２７】
ホールドモードは、マスタとスレーブとの両方が遷移できるモードであって、ホールドモードにあるマスタとスレーブとは、ピコネットに同期したまま、設定された一定期間（ホールド時間）中は送受信を行なわず、ホールド時間経過後に通信を再開する。
【００２８】
スニフモードは、スレーブだけが遷移可能なモードであって、スレーブが、一定時間間隔（スニフ間隔）でマスタとの間で情報の送受信を行ない、その他の時間は、電力消費を抑えるというモードである。スニフモードは、スレーブの待機時の処理が極端に減らされるため、スレーブの消費電力をホールドモードよりも抑えることができる。また、スニフモードでは、パークモードと異なり、スレーブは、マスタから割振られたスレーブ識別子を保持している状態にあるので、ピコネットにすぐに再加入できる。
【００２９】
本実施の形態にかかるテレビインタホン装置では、マスタ端末とされるモニタ付インタホン居室親機２がマスタ端末とされ、モニタ付インタホン居室副親機３Ａ，３Ｂがスレーブ端末とされる。さらに、スレーブ端末であるモニタ付インタホン居室副親機３Ａ，３Ｂは、上述の低電力消費モードの中のスニフモードに遷移可能に構成される。これにより、スレーブ端末であるモニタ付インタホン居室副親機３Ａ，３Ｂがスニフモードであっても、必要に応じてピコネットにすぐに再加入できる。そのため、本実施の形態にかかるテレビインタホン装置では、モニタ付インタホン居室親機２、モニタ付インタホン居室副親機３Ａ、およびモニタ付インタホン居室副親機３Ｂのいずれもが、来訪者に対して迅速な応対が可能な構成とされる。
【００３０】
図２〜図４は、本実施の形態にかかるテレビインタホン装置を構成する各機器の内部構成を示すブロック図である。カメラ付インタホン玄関子機１Ａとカメラ付インタホン玄関子機１Ｂとは同様の構成を有し、また、モニタ付インタホン居室副親機３Ａとモニタ付インタホン居室副親機３Ｂとは同様の構成を有している。このため、図２では、カメラ付インタホン玄関子機１Ａとカメラ付インタホン玄関子機１Ｂとを代表させたカメラ付インタホン玄関子機１の構成が示され、図４では、モニタ付インタホン居室副親機３Ａとモニタ付インタホン居室副親機３Ｂとを代表させたモニタ付インタホン居室副親機３の構成が示されている。
【００３１】
図２を参照して、本実施の形態にかかるテレビインタホン装置に含まれるカメラ付インタホン玄関子機１は、カメラ付インタホン玄関子機１全体を制御するＣＰＵ（Central Processing Unit）１００と、モニタ付インタホン居室親機２を呼出すための呼出ボタン１３と、来訪者を撮影するカメラ部１６と、カメラ部１６で撮影された映像を変調する映像変調回路１０２と、図示されないマイクやスピーカを含んで、屋外の訪問者と屋内のユーザとの音声通話を可能とする音声通話回路１０１と、多重／分離回路１０３とを含んで構成される。
【００３２】
ＣＰＵ１００は、呼出ボタン１３に接続され、訪問者に押されることによって、呼出ボタン１３から呼出信号が入力される。ＣＰＵ１００は、カメラ部１６と多重／分離回路１０３とに接続され、それらを制御する制御信号を送出する。また、呼出ボタン１３からの呼出信号を検出すると来訪者を検知し、来訪者がある旨の制御信号である来訪者検知信号を多重／分離回路１０３に対して送出する。
【００３３】
カメラ部１６は、ＣＰＵ１００からの制御信号にしたがって常に駆動されて、カメラ付インタホン玄関子機１近傍の映像を撮影する。そして、撮影した映像に基づいた映像信号を映像変調回路１０２に対して送出する。映像変調回路１０２は、カメラ部１６から入力された映像信号に対して変調処理を施し、多重／分離回路１０３に対して送出する。多重／分離回路１０３は、映像変調回路１０２から入力された変調処理が施された映像信号を含む送信用信号を生成し、所定のタイミングで、インタホン線４を介して、モニタ付インタホン居室親機２に対して送信する。
【００３４】
音声通話回路１０１は、含まれるマイクで来訪者が発する音声を取得し、取得した音声に基づいた音声信号を多重／分離回路１０３に対して送出する。
【００３５】
多重／分離回路１０３は、ＣＰＵ１００からの制御信号にしたがって、映像変調回路１０２から入力された変調処理が施された映像信号と、音声通話回路１０１から入力された来訪者の音声に基づいた音声信号と、ＣＰＵ１００から入力された制御信号である来訪者検知信号とに対して多重化処理を施して、送信用信号を生成し、インタホン線４を介して、モニタ付インタホン居室親機２に対して送信する。
【００３６】
また、多重／分離回路１０３は、インタホン線４を介して、モニタ付インタホン居室親機２から送信された、多重化処理された送信用信号を受信する。多重／分離回路１０３は、モニタ付インタホン居室親機２から送信された送信用信号を音声信号と制御信号とに分離し、音声信号をスピーカから来訪者に対して出力するために音声通話回路１０１に対して送出し、制御信号をＣＰＵ１００に対して送出する。
【００３７】
図３を参照して、本実施の形態にかかるテレビインタホン装置に含まれるモニタ付インタホン居室親機２は、モニタ付インタホン居室親機２全体を制御するＣＰＵ２００と、来訪者の映像を表示する液晶表示部２１と、来訪者との通話を開始するためにカメラ付インタホン玄関子機１を呼出す通話ボタン２２と、屋内の他のユーザとの内線通話を開始するためにモニタ付インタホン居室副親機３を呼出す内線ボタン２３と、モニタ付インタホン居室副親機３との無線通信を行なうためのアンテナ２４Ａを含む無線送受信部２４と、ＳＤカードメモリ２５と、図示されないマイクやスピーカを含んで、屋外の訪問者や屋内の他のユーザとの音声通話を可能とする音声通話回路２０１と、多重／分離回路２０３と、映像信号を復調する映像復調回路２０２と、アナログの映像信号をデジタル信号に変換する映像Ａ／Ｄ（アナログ／デジタル）変換回路２０５と、デジタル信号に変換された映像信号を蓄積する表示映像蓄積回路２０７と、映像信号を圧縮および伸張処理する映像圧縮／伸張回路２０６と、圧縮された画像信号を蓄積する圧縮映像蓄積回路２１１と、モニタ付インタホン居室副親機３に送信するための映像信号を蓄積する伝送映像蓄積回路２０８と、ＳＤカードメモリ２５に記録するための映像信号を蓄積する記録映像蓄積回路２１０と、アナログの音声信号とデジタルの音声信号とを相互に変換する音声ＡＤ／ＤＡ（アナログ−デジタル／デジタル−アナログ）変換回路２０４と、呼出音を出力する呼出音回路２０９とを含んで構成される。
【００３８】
ＣＰＵ２００は、音声通話回路２０１と、多重／分離回路２０３と、音声ＡＤ／ＤＡ変換回路２０４と、映像圧縮／伸張回路２０６と、表示映像蓄積回路２０７と、液晶表示部２１と、伝送映像蓄積回路２０８と、呼出音回路２０９と、記録映像蓄積回路２１０と、無線送受信部２４と、ＳＤカードメモリ２５とに接続され、それらを制御する制御信号を送出する。
【００３９】
多重／分離回路２０３は、インタホン線４を介して、カメラ付インタホン玄関子機１から送信された、映像信号を含む送信用信号、または多重化処理された送信用信号を受信し、ＣＰＵ２００からの制御信号にしたがって、受信信号を、映像信号と音声信号と制御信号である来訪者検知信号とに分離する。
【００４０】
多重／分離回路２０３は、映像復調回路２０２と映像復調回路２０２と音声通話回路２０１とに接続され、分離して得られた映像信号を映像復調回路２０２に、音声信号を音声通話回路２０１に、来訪者検知信号をＣＰＵ２００に対して送出する。
【００４１】
無線送受信部２４は、Ｂｌｕｅｔｏｏｔｈ（登録商標）無線伝送路５を介して、モニタ付インタホン居室副親機３から送信された、２．４ＧＨｚ帯域のＢｌｕｅｔｏｏｔｈ（登録商標）無線信号として、Ｂｌｕｅｔｏｏｔｈ（登録商標）無線プロトコルにより時分割多重化処理された送信用信号を受信し、ＣＰＵ２００からの制御信号にしたがって、送信用信号を、デジタル音声信号と制御信号とデジタル映像信号とに分離する。
【００４２】
無線送受信部２４は、音声ＡＤ／ＤＡ変換回路２０４とＣＰＵ２００と映像圧縮／伸張回路２０６とに接続され、分離して得られたデジタル音声信号を音声ＡＤ／ＤＡ変換回路２０４に、制御信号をＣＰＵ２００に、デジタル映像信号を映像圧縮／伸張回路２０６に対して送出する。
【００４３】
ＣＰＵ２００は、多重／分離回路２０３から入力された来訪者検知信号を検出し、カメラ付インタホン玄関子機１近傍に来訪者の存在を認識する。
【００４４】
また、ＣＰＵ２００は、無線送受信部２４から入力されたモニタ付インタホン居室副親機３からの制御信号である呼出信号を検出し、モニタ付インタホン居室副親機３においてカメラ付インタホン玄関子機１からの呼出動作に対する応答動作が行なわれたことを認識する。
【００４５】
また、ＣＰＵ２００は、屋内のユーザに押されることによって、通話ボタン２２から呼出信号を入力される。ＣＰＵ２００は、通話ボタン２２からの呼出信号を検出すると屋内のユーザが通話ボタン２２を押したことを検知し、カメラ付インタホン玄関子機１またはモニタ付インタホン居室副親機３からの呼出動作に対する応答動作が行なわれたことを認識する。
【００４６】
また、ＣＰＵ２００は、屋内のユーザに押されることによって、内線ボタン２３から呼出信号を入力される。ＣＰＵ２００は、内線ボタン２３からの呼出信号を検出すると屋内のユーザが内線ボタン２３を押したことを検知し、モニタ付インタホン居室副親機３に対する呼出動作が行なわれたことを認識する。
【００４７】
映像復調回路２０２は、映像Ａ／Ｄ変換回路２０５に接続され、多重／分離回路２０３から入力された映像信号をアナログコンポジット信号に復調し、映像Ａ／Ｄ変換回路２０５に対して送出する。
【００４８】
映像Ａ／Ｄ変換回路２０５は、表示映像蓄積回路２０７と映像圧縮／伸張回路２０６とに接続され、映像復調回路２０２から入力されたアナログコンポジット信号である映像信号をデジタル信号に変換し、表示映像蓄積回路２０７と映像圧縮／伸張回路２０６とに対して送出する。
【００４９】
映像圧縮／伸張回路２０６は、圧縮映像蓄積回路２１１に接続され、ＣＰＵ２００からの制御信号にしたがって、映像Ａ／Ｄ変換回路２０５から入力されたデジタル映像信号をＪＰＥＧ（Joint Photographic Experts Group）圧縮画像に変換し、圧縮映像蓄積回路２１１に送出する。
【００５０】
圧縮映像蓄積回路２１１は、３０画面分の映像を記憶可能な容量を有しており、古い映像より順に消去されて新しい映像が上書き記憶されるリング状メモリ構造を有し、映像圧縮／伸張回路２０６から入力されたデジタル映像信号を、１秒間に１５画面分の周期で、順次、記憶する。
【００５１】
記録映像蓄積回路２１０は、カメラ付インタホン玄関子機１から受信した映像を１画面分記憶可能な容量を有しており、ＣＰＵ２００からの制御信号と時間信号とにしたがって、圧縮映像蓄積回路２１１に記憶されている最も古い映像を読出して、１秒間に５画面分の周期で複写する。記録映像蓄積回路２１０は、ＳＤカードメモリ２５に接続され、ＣＰＵ２００からの制御信号にしたがって、複写して得られたデジタル映像信号をＳＤカードメモリ２５に対して送出する。
【００５２】
ＳＤカードメモリ２５は、映像圧縮／伸張回路２０６と伝送映像蓄積回路２０８とに接続され、ＣＰＵ２００からの制御信号にしたがって、記録映像蓄積回路２１０から入力されたデジタル映像信号を、順次、記録保存すると共に、記録しているデジタル映像信号を、映像圧縮／伸張回路２０６または伝送映像蓄積回路２０８に再生出力する。
【００５３】
映像圧縮／伸張回路２０６は、表示映像蓄積回路２０７に接続され、ＣＰＵ２００からの制御信号にしたがって、ＳＤカードメモリ２５、または無線送受信部２４から入力されたＪＰＥＧ圧縮されたデジタル映像信号に対して伸張処理を施し、伸張されたデジタル映像信号を表示映像蓄積回路２０７に対して送出する。
【００５４】
表示映像蓄積回路２０７は、ＣＰＵ２００からの制御信号にしたがって、映像Ａ／Ｄ変換回路２０５および映像圧縮／伸張回路２０６から入力されたデジタル映像信号を、順次、記憶する。
【００５５】
液晶表示部２１は、ＣＰＵ２００からの制御信号にしたがって、表示映像蓄積回路２０７に蓄積されているデジタル映像信号を読出し、表示する。
【００５６】
伝送映像蓄積回路２０８は、カメラ付インタホン玄関子機１から受信した映像を１画面分記憶可能な容量を有しており、ＳＤカードメモリ２５から入力された映像を記憶する。また、伝送映像蓄積回路２０８は、ＣＰＵ２００からの制御信号にしたがって、圧縮映像蓄積回路２１１に記憶されている最も古い映像を読出して複写して記憶する。
【００５７】
無線送受信部２４は、伝送映像蓄積回路２０８に接続され、ＣＰＵ２００からの制御信号にしたがって、所定の周期で伝送映像蓄積回路２０８に記憶されている映像を読出す。
【００５８】
伝送映像蓄積回路２０８での映像の複写は、無線送受信部２４によって伝送映像蓄積回路２０８に記憶される映像がすべて読出される都度実行される。ここで、無線送受信部２４によって伝送映像蓄積回路２０８に記憶される映像が読出される周期は、無線送受信部２４で行なう無線通信の電波状態に依存しており、１秒間に１画面分から３画面分の間で変動する。
【００５９】
音声ＡＤ／ＤＡ変換回路２０４は、ＣＰＵ２００からの制御信号にしたがって、無線送受信部２４から入力されたデジタル音声信号をアナログ信号に変換し、得られたアナログ音声信号を音声通話回路２０１に対して送出する。
【００６０】
音声通話回路２０１は、多重／分離回路２０３と音声ＡＤ／ＤＡ変換回路２０４とに接続され、ＣＰＵ２００からの制御信号にしたがって、多重／分離回路２０３から入力された音声信号または音声ＡＤ／ＤＡ変換回路２０４から入力された音声信号をスピーカから屋内のユーザに出力すると共に、含まれるマイクで屋内のユーザが発する音声を取得し、取得した音声に基づいた音声信号を多重／分離回路２０３または音声ＡＤ／ＤＡ変換回路２０４に対して送出する。また、多重／分離回路２０３から入力された音声信号を、ＣＰＵ２００を介して無線送受信部２４に対して送出する。
【００６１】
多重／分離回路２０３は、ＣＰＵ２００からの制御信号にしたがって、音声通話回路２０１から入力された屋内のユーザの音声に基づいた音声信号と、ＣＰＵ２００から入力された制御信号とに対して多重化処理を施し、インタホン線４を介して、カメラ付インタホン玄関子機１に送信する。
【００６２】
音声ＡＤ／ＤＡ変換回路２０４は、無線送受信部２４に接続され、ＣＰＵ２００からの制御信号にしたがって、音声通話回路２０１から入力された音声信号をデジタル音声信号に変換し、得られたデジタル音声信号を無線送受信部２４に対して送出する。
【００６３】
無線送受信部２４は、ＣＰＵ２００からの制御信号にしたがって、多重／分離回路２０３からＣＰＵ２００を介して入力されたデジタル音声信号と、伝送映像蓄積回路２０８から読出したデジタル映像信号と、ＣＰＵ２００から入力された制御信号とに対して、Ｂｌｕｅｔｏｏｔｈ（登録商標）無線プロトコルにより時分割多重化処理を施して送信用信号を生成する。また、音声ＡＤ／ＤＡ変換回路２０４から入力されたデジタル音声信号と、伝送映像蓄積回路２０８から入力されたデジタル映像信号と、ＣＰＵ２００から入力された制御信号である内線呼出信号とに対して、Ｂｌｕｅｔｏｏｔｈ（登録商標）無線プロトコルにより時分割多重化処理を施して送信用信号を生成する。そして、該送信用信号を２．４ＧＨｚ帯域のＢｌｕｅｔｏｏｔｈ（登録商標）無線信号として、アンテナ２４Ａを用いて、Ｂｌｕｅｔｏｏｔｈ（登録商標）無線伝送路５を介し、モニタ付インタホン居室副親機３に対して送信する。
【００６４】
図４を参照して、本実施の形態にかかるテレビインタホン装置に含まれるモニタ付インタホン居室副親機３は、モニタ付インタホン居室副親機３全体を制御するＣＰＵ３００と、来訪者の映像を表示する液晶表示部３１と、来訪者との通話を開始するためにカメラ付インタホン玄関子機１を呼出す通話ボタン３２と、屋内の他のユーザとの内線通話を開始するためにモニタ付インタホン居室親機２等を呼出す内線ボタン３３と、モニタ付インタホン居室親機２等との無線通信を行なうためのアンテナ３４Ａを含む無線送受信部３４と、室内のユーザを撮影するカメラ部３６と、図示されないマイクやスピーカを含んで、屋外の訪問者や屋内の他のユーザとの音声通話を可能とする音声通話回路３０１と、映像信号を圧縮および伸張処理する映像圧縮／伸張回路３０６と、映像データを蓄積する表示映像蓄積回路３０７と、モニタ付インタホン居室親機２等に送信するための映像信号を蓄積する伝送映像蓄積回路３０８と、アナログの音声信号とデジタルの音声信号とを相互に変換する音声ＡＤ／ＤＡ変換回路３０４と、呼出音を出力する呼出音回路３０９とを含んで構成される。
【００６５】
ＣＰＵ３００は、音声通話回路３０１と、音声ＡＤ／ＤＡ変換回路３０４と、映像圧縮／伸張回路３０６と、表示映像蓄積回路３０７と、液晶表示部３１と、伝送映像蓄積回路３０８と、呼出音回路３０９と、無線送受信部３４と、カメラ部３６とに接続され、それらを制御する制御信号を送出する。
【００６６】
なお、ここで、他のモニタ付インタホン居室副親機３とは、モニタ付インタホン居室副親機３Ａにとってはモニタ付インタホン居室副親機３Ｂであり、モニタ付インタホン居室副親機３Ｂにとってはモニタ付インタホン居室副親機３Ａである。
【００６７】
無線送受信部３４は、Ｂｌｕｅｔｏｏｔｈ（登録商標）無線伝送路５を介してモニタ付インタホン居室親機２あるいは他のモニタ付インタホン居室副親機３から送信された、Ｂｌｕｅｔｏｏｔｈ（登録商標）無線プロトコルにより時分割多重化処理された送信用信号を、アンテナ３４Ａを用いて受信し、ＣＰＵ２００からの制御信号にしたがって、送信用信号を、デジタル音声信号とＪＰＥＧ映像信号と制御信号とに分離する。
【００６８】
無線送受信部３４は、音声ＡＤ／ＤＡ変換回路３０４とＣＰＵ３００と映像圧縮／伸張回路３０６とに接続され、分離して得られたデジタル音声信号を音声ＡＤ／ＤＡ変換回路３０４に、ＪＰＥＧ映像信号を映像圧縮／伸張回路３０６に、制御信号をＣＰＵ３００に対して送出する。
【００６９】
ＣＰＵ３００は、無線送受信部３４から入力されたモニタ付インタホン居室親機２あるいは他のモニタ付インタホン居室副親機３からの制御信号である来訪者検知信号あるいは内線呼出信号を検出し、カメラ付インタホン玄関子機１近傍の来訪者の存在、あるいはモニタ付インタホン居室親機２あるいは他のモニタ付インタホン居室副親機３からの通話要求を認識する。
【００７０】
また、ＣＰＵ３００は、屋内のユーザに押されることによって、通話ボタン３２から呼出信号を入力される。ＣＰＵ３００は、通話ボタン３２からの呼出信号を検出すると屋内のユーザが通話ボタン３２を押したことを検知し、カメラ付インタホン玄関子機１、モニタ付インタホン居室親機２、または他のモニタ付インタホン居室副親機３からの呼出動作に対する応答動作が行なわれたことを認識する。
【００７１】
また、ＣＰＵ３００は、屋内のユーザに押されることによって、内線ボタン３３から呼出信号を入力される。ＣＰＵ３００は、内線ボタン３３からの呼出信号を検出すると屋内のユーザが内線ボタン３３を押したことを検知し、モニタ付インタホン居室親機２あるいは他のモニタ付インタホン居室副親機３に対する呼出動作が行なわれたことを認識する。
【００７２】
カメラ部３６は、ＣＰＵ３００からの制御信号にしたがって、所定のタイミングで駆動されてモニタ付インタホン居室副親機３近傍の映像を撮影する。そして、撮影した映像に基づいた映像信号を映像圧縮／伸張回路３０６に対して送出する。
【００７３】
映像圧縮／伸張回路３０６は、伝送映像蓄積回路３０８に接続され、ＣＰＵ３００からの制御信号にしたがって、カメラ部３６から入力された映像信号をＪＰＥＧ圧縮画像に変換し、伝送映像蓄積回路３０８に対して送出する。伝送映像蓄積回路３０８は、映像圧縮／伸張回路３０６から入力された映像信号を、順次、記憶する。
【００７４】
また、映像圧縮／伸張回路３０６は、表示映像蓄積回路３０７に接続され、ＣＰＵ３００からの制御信号にしたがって、無線送受信部３４から入力されたＪＰＥＧ映像信号であるデジタル映像信号に対して伸張処理を施し、表示映像蓄積回路３０７に対して送出する。
【００７５】
表示映像蓄積回路３０７は、ＣＰＵ２００からの制御信号にしたがって、映像圧縮／伸張回路３０６から入力されたデジタル映像信号を、順次、記憶する。
【００７６】
液晶表示部３１は、ＣＰＵ３００からの制御信号にしたがって、表示映像蓄積回路３０７に蓄積されているデジタル映像信号を読出し、表示する。
【００７７】
伝送映像蓄積回路３０８は、無線送受信部３４に接続され、ＣＰＵ３００からの制御信号にしたがって、記憶している映像信号を無線送受信部３４に対して送出する。
【００７８】
音声ＡＤ／ＤＡ変換回路３０４は、音声通話回路３０１と無線送受信部３４とに接続され、ＣＰＵ３００からの制御信号にしたがって、無線送受信部３４から入力されたデジタル音声信号をアナログ信号に変換し、得られたアナログ音声信号を音声通話回路３０１に対して送出する。また、音声通話回路３０１から入力された音声信号をデジタル音声信号に変換し、得られたデジタル音声信号を無線送受信部３４に対して送出する。
【００７９】
音声通話回路３０１は、音声ＡＤ／ＤＡ変換回路３０４に接続され、ＣＰＵ３００からの制御信号にしたがって、音声ＡＤ／ＤＡ変換回路３０４から入力された音声信号をスピーカから屋内のユーザに出力すると共に、含まれるマイクで屋内のユーザが発する音声を取得し、取得した音声に基づいた音声信号を音声ＡＤ／ＤＡ変換回路３０４に対して送出する。
【００８０】
無線送受信部３４は、ＣＰＵ３００からの制御信号にしたがって、音声ＡＤ／ＤＡ変換回路３０４から入力されたデジタル音声信号と、ＣＰＵ３００から入力された制御信号である内線呼出信号と、伝送映像蓄積回路３０８から入力されたデジタル映像信号とに対して、Ｂｌｕｅｔｏｏｔｈ（登録商標）無線プロトコルにより時分割多重化処理を施して送信用信号を生成し、該送信用信号を２．４ＧＨｚ帯域のＢｌｕｅｔｏｏｔｈ（登録商標）無線信号として、アンテナ３４Ａを用いて、Ｂｌｕｅｔｏｏｔｈ（登録商標）無線伝送路５を介し、モニタ付インタホン居室親機２あるいは他のモニタ付インタホン居室副親機３に対して送信する。
【００８１】
なお、本実施の形態においては、説明の簡略化のために、２台のモニタ付インタホン居室副親機３Ａ，３Ｂのみを示したが、モニタ付インタホン居室親機２と通信可能なモニタ付インタホン居室副親機の数は、ポイント・ツー・マルチポイント接続における制限数７台までの範囲内であれば限定されない。また、モニタ付インタホン居室親機２とモニタ付インタホン居室副親機３とは、本実施の形態においては、図３および図４に示されるように異なる構成であるものとされたが、同一の構成であってもよく、そのうちの１つの装置がモニタ付インタホン居室親機２とされ、他の装置がモニタ付インタホン居室副親機３とされればよい。
【００８２】
このように、本実施の形態で採用されたＢｌｕｅｔｏｏｔｈ（登録商標）無線方式は、家庭内で、データおよび／または音声を無線で通信するには、非常に適した伝送手段であり、この標準化された規格を用いることにより、通信に要する設備も低コストで達成が可能となる。本発明にかかるテレビインタホン装置における無線通信の方法はＢｌｕｅｔｏｏｔｈ（登録商標）無線方式を採用した方法が最も好適であるが、本方法に限定されるものではなく、他の無線方式であってもよい。
【００８３】
次に、図５のフローチャートを用いて、本実施の形態にかかるテレビインタホン装置のモニタ付インタホン居室親機２において、カメラ付インタホン玄関子機１の呼出しに応答する際の処理について説明する。図５のフローチャートに示される処理は、主に、モニタ付インタホン居室親機２のＣＰＵ２００が、図示されない記憶装置に記憶されているプログラムを読出して実行し、図３に示される各部を制御することによって実現される。
【００８４】
図５を参照して、始めに、テレビインタホン装置の電源が投入された初期状態において、モニタ付インタホン居室親機２の無線送受信部２４は、Ｂｌｕｅｔｏｏｔｈ（登録商標）無線方式におけるマスタとして動作を開始するための初期化処理を実行する（Ｓ１０１）。具体的には、無線送受信部２４は、家庭内に設置されているモニタ付インタホン居室副親機３Ａおよびモニタ付インタホン居室副親機３Ｂのそれぞれの無線送受信部３４に対して、同一ピコネット内のスレーブ端末として、周波数ホッピングの同期を維持するためのパラメータ交換処理等の定められた問合処理および呼出処理を行なう。これにより、モニタ付インタホン居室副親機３Ａ，３Ｂ（以降、モニタ付インタホン居室副親機３Ａ，３Ｂをまとめてモニタ付インタホン居室副親機３と言うものとする）は、常時通信可能な状態に遷移する。なお、以降の説明においては、かかる状態を、上述のスニフモードに対して、通常モードと呼ぶものとする。
【００８５】
モニタ付インタホン居室副親機３が、上述の低消費電力モードの中のたとえばホールドモードに遷移するように構成されている場合、ホールドモードから通信可能な状態な通常モードに遷移するのに、通常十数秒を要する（なお、この時間は、モニタ付インタホン居室親機２に接続されたモニタ付インタホン居室副親機３の数にも左右される）。
【００８６】
しかしながら、テレビインタホン装置において、Ｂｌｕｅｔｏｏｔｈ（登録商標）無線網を構成するすべての端末（モニタ付インタホン居室親機２およびモニタ付インタホン居室副親機３）の無線送受信部が、常時、通信リンクを維持するための端末監視通信を行なうように構成されると、これらすべての端末における消費電力は大きくなる。本実施の形態にかかるテレビインタホン装置は携帯可能に構成されるために、電池で駆動するモニタ付インタホン居室副親機３には不都合である。
【００８７】
そこで、本実施の形態においては、モニタ付インタホン居室副親機３が、低消費電力モードとしてスニフモードに遷移されるよう構成されている。これにより、テレビインタホン装置全体の消費電力を抑制した状態で、モニタ付インタホン居室副親機３が来訪者を待つ待機状態に遷移させることができる。
【００８８】
なお、上述のように、カメラ付インタホン玄関子機１のカメラ部１６は、常に、撮像動作を行なっており、カメラ付インタホン玄関子機１のカメラ部１６で撮影されている映像に基づいた映像信号がモニタ付インタホン居室親機２にリアルタイムに伝送され、圧縮映像蓄積回路２１１に、常に、過去１秒間の１５枚の映像が蓄積された状態にある。
【００８９】
カメラ付インタホン玄関子機１の呼出ボタン１３が来訪者によって押下されると、カメラ付インタホン玄関子機１のＣＰＵ１００から出力された制御信号である来訪者検知信号が、子機多重／分離回路１０３、インタホン線４、および親機多重／分離回路２０３を介してモニタ付インタホン居室親機２に送信され、ＣＰＵ２００において検出される。
【００９０】
ステップＳ１０１において、テレビインタホン装置の電源が投入された初期状態での初期化処理が完了した後、ＣＰＵ２００はかかる来訪者検知信号が検出されるまで待機し（Ｓ１０３でＮＯ）、来訪者検知信号が検出される、つまりカメラ付インタホン玄関子機１近傍に来訪者の存在が認識されると（Ｓ１０３でＹＥＳ）、呼出音回路２０９で生成された呼出音が、モニタ付インタホン居室親機音声通話回路２０１を構成するスピーカから出力される（Ｓ１０５）。
【００９１】
また、モニタ付インタホン居室親機２のＳＤカードメモリ２５に、すでに圧縮映像蓄積回路２１１に蓄積されている、ＣＰＵ２００で来訪者検知信号が検出された時点前後の所定時間（たとえば前後合わせて５秒間）の映像が、順次、記録される（Ｓ１０７）。
【００９２】
同時に、インタホン線４を介して、カメラ付インタホン玄関子機１から受信されたカメラ部１６でリアルタイムに撮影されている映像の映像信号に基づいて、液晶表示部２１に来訪者の映像が表示される（Ｓ１０９）。
【００９３】
また、同時に、モニタ付インタホン居室親機２の無線送受信部２４から、待機状態であるモニタ付インタホン居室副親機３のスニフモードを解除するための解除信号が、モニタ付インタホン居室副親機３の無線送受信部３４へと送信される（Ｓ１１１）。ステップＳ１１１においてモニタ付インタホン居室親機２からモニタ付インタホン居室副親機３にスニフモードの解除信号が送信されることにより、モニタ付インタホン居室副親機３は、上記した通常モードへと速やかに遷移する。なお、本実施の形態では、スニフ間隔は、たとえば１秒以下と設定されることが好ましい。そして、ここでの、モニタ付インタホン居室副親機３のスニフモードから通信可能な通常モードへの遷移は、上記したようにモニタ付インタホン居室親機２がモニタ付インタホン居室副親機３との問合処理および呼出処理がすでに行なわれているため、１秒以下の短時間で可能である。
【００９４】
次に、モニタ付インタホン居室副親機３が通常モードに遷移すると、モニタ付インタホン居室親機２の無線送受信部２４より、モニタ付インタホン居室副親機３に対して、来訪者検知信号、およびカメラ付インタホン玄関子機１でリアルタイムに撮影されている来訪者の映像に基づいた映像信号を含む送信用信号が送信される（Ｓ１１３）。
【００９５】
ステップＳ１１３で送信された送信用信号はモニタ付インタホン居室副親機３の無線送受信部３４で受信され、含まれる来訪者検知信号がＣＰＵ３００で検出される。モニタ付インタホン居室副親機３においては、ＣＰＵ３００の制御により、呼出音回路３０９で生成された呼出音が、副親機音声通話回路３０１を構成するスピーカから出力される。
【００９６】
また、送信用信号に含まれる映像信号に基づいて、モニタ付インタホン居室親機２内の液晶表示部２１だけでなく、モニタ付インタホン居室副親機３の液晶表示部３１にも、リアルタイムに来訪者の映像が表示される。
【００９７】
なお、予め、モニタ付インタホン居室親機２においてＳＤカードメモリ２５に記録されている映像を自動的に再生する機能である「ＳＤメモリ記録映像自動再生機能」が設定されている場合は、ステップＳ１１３においては、モニタ付インタホン居室親機２からモニタ付インタホン居室副親機３に対して、カメラ付インタホン玄関子機１でリアルタイムに撮影されている来訪者の映像に基づいた映像信号に替えて、ステップＳ１０７でＳＤカードメモリ２５に記録された映像に基づいた映像信号が含まれる送信用信号が送信される。
【００９８】
この場合、上述のステップＳ１０９におけるモニタ付インタホン居室親機２、およびステップＳ１１３で送信用信号を受信したモニタ付インタホン居室副親機３では、いずれかのモニタ付インタホン居室親機２またはモニタ付インタホン居室副親機３の応答動作が行なわれるまでの間、カメラ付インタホン玄関子機１でリアルタイムに撮影されている来訪者の映像に替えて、すでにＳＤカードメモリ２５に記録されている、来訪者が呼出ボタン１３を押す前後の所定時間（たとえば前後合わせて５秒間）の映像が、繰返し、モニタ付インタホン居室親機２内の液晶表示部２１、およびモニタ付インタホン居室副親機３の液晶表示部３１に表示される。
【００９９】
ここで、ＣＰＵ２００においてモニタ付インタホン居室親機２の通話ボタン２２が押されたことが検出されると（Ｓ１１５でＹＥＳ）、無線送受信部２４からモニタ付インタホン居室副親機３に対してスニフモードの設定信号が送信され（Ｓ１１７）、該設定信号を受信したモニタ付インタホン居室副親機３は、スニフモードに再び状態が遷移され、その液晶表示部３１における来訪者の映像の表示が停止される。
【０１００】
モニタ付インタホン居室親機２では、カメラ付インタホン玄関子機１からモニタ付インタホン居室親機２に対して、継続的に、来訪者の映像が送信されて液晶表示部２１に表示され（Ｓ１１９）、カメラ付インタホン玄関子機１とモニタ付インタホン居室親機２との間で、双方向の音声信号の送受信が実行されて、スピーカから来訪者の音声が出力される（Ｓ１２１）。これにより、来訪者と在宅者との間で、カメラ付インタホン玄関子機１およびモニタ付インタホン居室親機２を用いた通話が可能となる。
【０１０１】
ステップＳ１２１での来訪者との通話が終了すると（Ｓ１２３でＹＥＳ）、ステップＳ１１９で液晶表示部２１に表示される来訪者の映像が停止され（Ｓ１２５）、一連の処理が終了する。
【０１０２】
また、ＣＰＵ２００において、モニタ付インタホン居室副親機３から送信される送信用信号に基づいて、通話ボタン２２に替えて、モニタ付インタホン居室副親機３Ａの通話ボタン３２が押されたことが検出されると（Ｓ１１５でＮＯ）、通話ボタン３２が押されていないモニタ付インタホン居室副親機３Ｂに対しては、ステップＳ１１７と同様に、スニフモードの設定信号が送信される（Ｓ１２７）。このため、モニタ付インタホン居室副親機３Ｂのみがスニフモードに再び状態遷移し、液晶表示部３１の来訪者の映像の表示が停止される。
【０１０３】
モニタ付インタホン居室親機２では、無線送受信部２４からＢｌｕｅｔｏｏｔｈ（登録商標）無線伝送路５を介して、通話ボタン３２が押されたモニタ付インタホン居室副親機３Ａの無線送受信部３４に対して、継続的に、カメラ付インタホン玄関子機１から受信した来訪者の映像が送信され（Ｓ１２９）、カメラ付インタホン玄関子機１とモニタ付インタホン居室副親機３Ａとの間の、双方向の音声信号の送受信が中継される（Ｓ１３１）。これによって、カメラ付インタホン玄関子機１とモニタ付インタホン居室副親機３Ａとを用いた来訪者と在宅者との間での会話が可能となる。また、モニタ付インタホン居室副親機３Ａの液晶表示部３１には、カメラ付インタホン玄関子機１のカメラ部１６でリアルタイムに撮影されている来訪者の映像が表示される。
【０１０４】
そして、同様に、ステップＳ１３１での来訪者との通話が終了すると（Ｓ１３３でＹＥＳ）、モニタ付インタホン居室親機２からモニタ付インタホン居室副親機３Ａに対してステップＳ１２９で液晶表示部３１に表示される来訪者の映像を停止するための制御信号と、スニフモードの設定信号とが送信される（Ｓ１３５）。これにより、モニタ付インタホン居室副親機３Ａもスニフモードに再び状態遷移し、液晶表示部３１の来訪者の映像の表示が停止されて、一連の処理が終了する。
【０１０５】
さらに、上述のステップＳ１２１でカメラ付インタホン子機１とモニタ付インタホン居室親機２とが用いられて、来訪者と在宅者とが通話中に、モニタ付インタホン居室副親機３Ａにおいて、モニタ付インタホン居室副親機３Ｂと内線通信を行なうために内線ボタン３３が押されると、本実施の形態にかかるテレビインタホン装置においては、図６および図７に示される内線通話を実現するための処理が割込み処理として実行される。
【０１０６】
図６のフローチャートに示される処理は、モニタ付インタホン居室親機２のＣＰＵ２００が、図示されない記憶装置に記憶されているプログラムを読出して実行し、図３に示される各部を制御することによって実現される処理であり、図７のフローチャートに示される処理は、主に、モニタ付インタホン居室副親機３ＡのＣＰＵ３００が、図示されない記憶装置に記憶されているプログラムを読出して実行し、図４に示される各部を制御することによって実現される処理である。
【０１０７】
すなわち、図６を参照して、モニタ付インタホン居室親機２では、ＣＰＵ２００においてモニタ付インタホン居室副親機３Ａから受信した信号にモニタ付インタホン居室副親機３Ｂを呼出すための制御信号が含まれることが検出され、内線ボタン３３が押されたことが検出されると（Ｓ２０１でＹＥＳ）、無線送受信部２４から、内線ボタン３３が押されたモニタ付インタホン居室副親機３Ａのスニフモードを解除するための解除信号が、モニタ付インタホン居室副親機３Ａの無線送受信部３４へと送信され（Ｓ２０３）、内線ボタン３３が押されたモニタ付インタホン居室副親機３Ａの端末機能をスレーブ端末からマスタ端末へと移行させるための移行指示制御信号がモニタ付インタホン居室副親機３Ａの無線送受信部３４へと送信され（Ｓ２０５）、モニタ付インタホン居室親機２での割込処理が終了する。
【０１０８】
次に、図７を参照して、スニフモードが解除された内線ボタン３３が押されたモニタ付インタホン居室副親機３Ａでは、ＣＰＵ３００においてモニタ付インタホン居室親機２から受信した信号に上述の移行指示制御信号が含まれることが検出されると（Ｓ３０１でＹＥＳ）、自身の端末機能をスレーブ端末からマスタ端末に移行する（Ｓ３０３）。
【０１０９】
そして、ステップＳ３０３で端末機能がマスタ端末に移行された後、無線送受信部３４から呼出相手であるモニタ付インタホン居室副親機３Ｂに対して、モニタ付インタホン居室副親機３Ｂのスニフモードを解除するための解除信号を送信する（Ｓ３０５）。これにより、モニタ付インタホン居室副親機３Ｂは、待機状態であるスニフモードから通常モードに速やかに状態遷移する。
【０１１０】
次に、ステップＳ３０５で通常モードに遷移したモニタ付インタホン居室副親機３Ｂから送信される送信用信号を受信し（Ｓ３０７）、該信号に含まれる映像信号に基づいて、モニタ付インタホン居室副親機３Ｂのカメラ部３６で現在撮像されている映像をモニタ付インタホン居室副親機３Ａの液晶表示部３１に表示する（Ｓ３０９）。このため、モニタ付インタホン居室副親機３Ａを用いると、モニタ付インタホン居室副親機３Ｂの応答操作を待つことなくモニタ付インタホン居室副親機３Ｂの周辺にユーザの有無の確認を行なうことができる。
【０１１１】
モニタ付インタホン居室副親機３Ａでは、ＣＰＵ３００において、モニタ付インタホン居室副親機３Ｂの通話ボタン３２が押されたことが検出されると（Ｓ３１１でＹＥＳ）、モニタ付インタホン居室副親機３Ａとモニタ付インタホン居室副親機３Ｂとの間で、双方向の音声信号の送受信が実行されて、スピーカからモニタ付インタホン居室副親機３Ｂ近傍のユーザの音声が出力される（Ｓ３１３）。このとき、テレビインタホン装置は、２つのＢｌｕｅｔｏｏｔｈ（登録商標）ピコネットが独立して存在するＢｌｕｅｔｏｏｔｈ（登録商標）スキャッタネットの通信形態にあるので、モニタ付インタホン居室副親機３Ａとモニタ付インタホン居室副親機３Ｂとの内線通話は、カメラ付インタホン玄関子機１Ａとモニタ付インタホン居室親機２との通話に対しては何ら影響を与えることはない。
【０１１２】
ステップＳ３１３での内線通話が終了すると（Ｓ３１５でＹＥＳ）、無線送受信部部３４からモニタ付インタホン居室副親機３Ｂに対して、スニフモードの設定信号が送信される（Ｓ３１７）。これにより、モニタ付インタホン居室副親機３Ｂは、モニタ付インタホン居室副親機３Ａとの通話が終了すると、再び、スニフモードへと状態遷移する。
【０１１３】
さらに、モニタ付インタホン居室副親機３Ａは、無線送受信部部３４において、モニタ付インタホン居室親機２から、その端末機能を一時的なマスタ端末から解除しスレーブ状態へ移行させる解除指示制御信号と、スニフモードへ移行させる設定信号とを受信する（Ｓ３１９）。これにより、モニタ付インタホン居室副親機３Ａは、再びスレーブ端末に移行し（Ｓ３２１）、スニフモードへと状態遷移して（Ｓ３２３）、一連の処理を終了する。
【０１１４】
以上の本実施の形態にかかるテレビインタホン装置では、モニタ付インタホン居室親機２および複数台のモニタ付インタホン居室副親機３のすべてに同じ映像信号が伝送されるので、来訪者がカメラ付インタホン玄関子機１の呼出ボタン１３を押した際の映像を、同一条件で、モニタ付インタホン居室親機２および複数台のモニタ付インタホン居室副親機３で確認ができる。そのため、ユーザの使い勝手も向上させることができ、また、防犯上有効に用いられる。
【０１１５】
また、電波状態により常に変化するモニタ付インタホン居室親機２からモニタ付インタホン居室副親機３への無線伝送時間周期に依存することなく、一定周期での記録媒体であるＳＤカードメモリ２５への映像信号を記録することができる。そのため、防犯上有効に用いられる。
【０１１６】
また、モニタ付インタホン居室親機２では、カメラ付インタホン玄関子機１の呼出ボタン１３が押される以前からの映像が記録されているので、来訪者がカメラ付インタホン玄関子機１の呼出ボタン１３を押した直後にカメラ付インタホン玄関子機１の近傍から離れることがあっても、記録した映像を再生することで確実に来訪者を確認することができる。そのため、防犯上有効に用いられる。
【０１１７】
なお、本実施の形態においては、図２に示されたように、モニタ付インタホン居室副親機３Ａ，３Ｂに、モニタ付インタホン居室親機２と同様に、液晶表示部３１が設けられ、カメラ付インタホン玄関子機１Ａ，１Ｂのカメラ部１６で撮影された来訪者の映像が表示される構成であるものとされたが、本発明にかかるテレビインタホン装置の構成はこのような構成に限定されず、モニタ付インタホン居室副親機３Ａ，３Ｂは、カメラ付インタホン玄関子機１Ａ，１Ｂとの間で、少なくとも音声の送受信ができるように構成されていればよい。
【０１１８】
さらに、上述のテレビインタホン装置で実行されるカメラ付インタホン玄関子機１の呼出に応答する方法、およびその途中でのモニタ付インタホン居室副親機３間での内線通話を行なう方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１９】
提供されるプログラム製品は、ハードディスクなどのプログラム格納部にインストールされて実行される。なお、プログラム製品は、プログラム自体と、プログラムが記録された記録媒体とを含む。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２１】
【図１】本実施の形態にかかるテレビインタホン装置の構成の具体例を示す図である。
【図２】カメラ付インタホン玄関子機１の構成の具体例を示す図である。
【図３】モニタ付インタホン居室親機２の構成の具体例を示す図である。
【図４】モニタ付インタホン居室副親機３の構成の具体例を示す図である。
【図５】モニタ付インタホン居室親機２での、カメラ付インタホン玄関子機１の呼出しに応答する処理を示すフローチャートである。
【図６】来訪者と在宅者とが通話中に、モニタ付インタホン居室副親機３間の内線通信を行なうための、モニタ付インタホン居室親機２での処理を示すフローチャートである。
【図７】来訪者と在宅者とが通話中に、モニタ付インタホン居室副親機３間の内線通信を行なうための、モニタ付インタホン居室副親機３Ａでの処理を示すフローチャートである。
【符号の説明】
【０１２２】
１，１Ａ，１Ｂ  カメラ付インタホン玄関子機、２  モニタ付インタホン居室親機、３，３Ａ，３Ｂ  モニタ付インタホン居室副親機、４  インタホン線、５  Ｂｌｕｅｔｏｏｔｈ（登録商標）無線伝送路、１３  呼出ボタン、１６，３６  カメラ部、２１，３１  液晶表示部、２２，３２  通話ボタン、２３，３３  内線ボタン、２４，３４  無線送受信部、２４Ａ，３４Ａ  アンテナ、２５  ＳＤカードメモリ、１００，２００，３００  ＣＰＵ、１０１，２０１，３０１  音声通話回路、１０２，２０２  映像変調回路、１０３，２０３  多重／分離回路、２０４，３０４  音声ＡＤ／ＤＡ変換回路、２０５  映像Ａ／Ｄ変換回路、２０６，３０６  映像圧縮／伸張回路、２０７，３０７  表示映像蓄積回路、２０８，３０８  伝送映像蓄積回路、２０９，３０９  呼出音回路、２１０  記録映像蓄積回路、２１１  圧縮映像蓄積回路。
【図１】
2005348056.tif 000003
【図２】
2005348056.tif 000004
【図３】
2005348056.tif 000005
【図４】
2005348056.tif 000006
【図５】
2005348056.tif 000007
【図６】
2005348056.tif 000008
【図７】
2005348056.tif 000009